(57)【要約】
【課題】　ネットワーク通信用ソケットの提供。
【解決手段】　通信ケーブルの複数のストランドをストランドシートに挿入する時、導線溝の前側開口より挿入し並びに前向き下方に傾斜する円弧を具えた導入板の案内でそれぞれ後ろ導入空間と前導入空間に導入し並びに所定の長さ伸出させることで、各ストランドを近隣の嵌め溝に同時に嵌め込め、操作が簡単で手間がかからず、同一施工部分の各ストランドシートと通信ケーブルの取り付け後の各ストランドの長さがほぼ同じで、通信品質を確保できる。さらに、該ソケット本体に枢設された二つの可動蓋にプッシュブロックがあり、回して閉じ合わせる時にストランドシートを圧迫し、通信ケーブルの各ストランドを確実に刺破端子と接触させて導通させられ、他の手持工具を必要とせず、操作が簡便であり、組立コストと時間を減らすことができる。
【選択図】　　　　図３
0003100029.tif 000002
【実用新案登録請求の範囲】
【請求項１】
　ネットワーク通信用ソケットであり、
　ソケット本体、基板、ストランドシートを具え、
　該ソケット本体は前側に位置決め溝が設けられ、前側上方に係止ブロックが設けられ、下方に弾性フックを具え、後側に板体を具え、
　該基板は、ソケット本体の上方に設けられ、その前側に複数の通信端子が設けられ、並びに各通信端子がソケット本体の位置決め溝内に位置し、該基板の後側に複数の刺破端子がはんだ付けされ、
　該ストランドシートは、二つの位置決め壁を具え、各位置決め壁に複数の隔板が設けられ並びに複数の溝が間隔をあけて形成され、且つ各溝は開口がいずれも下向きとされ且つ開放状態を呈し、溝内に嵌め溝が形成され、該ストランドシートは基板の後側上方に設けられ、並びにちょうど各嵌め溝が前述の基板の後側にはんだ付けされた対応する刺破端子の上方に嵌め込まれている上記ネットワーク通信用ソケットにおいて、
　該ストランドシートの二つの位置決め壁の間に導線溝が設けられ、且つ導線溝内に導入板があり、該導入板は二つの位置決め壁の間に接続されて導入板が前導入空間と後ろ導入空間に区画され、且つ該導入板は後ろより前に下向きに傾斜する円弧を具え、ピーリングされて露出した８本のストランドを具えた通信ケーブルがストランドシートの導線溝の前側開口より挿入され並びにその導入板の案内によりそのうち４本のストランドが前導入空間に導入され並びに所定の長さ突出し、残りの４本のストランドが後ろ導入空間に導入されて並びに所定の長さ突出し、且つ通信ケーブルの未ピーリング部分の前端がストランドシートの導線溝前側開口が隣接する二つの位置決め壁の前端にストップされ、これにより順に各ストランドが近隣の隔板に当接し施力されて各対のストランドが分けられると共に近隣の嵌め溝内に嵌入し、最後に各嵌め溝より伸出したストランドが切断され、こうしてストランドとストランドシートの嵌挿作業が完成し、操作が簡単便利で並びに時間と手間を節約できることを特徴とする、ネットワーク通信用ソケット。
【請求項２】
　請求項１記載のネットワーク通信用ソケットにおいて、ソケット本体の板体の前後両側にそれぞれ枢接溝が設けられ、二つの可動蓋の側壁の枢軸の枢接に供され、該二つの可動蓋はそれぞれが側壁と接続された上壁面を具え、各上壁面がプッシュブロック可動蓋が回転し閉合する時に該プッシュブロックがソケット本体に設けられた基板上方のストランドシートに加圧し、ストランドシートの各嵌め溝内のストランドを確実に基板に設けられた各刺破端子と接触導通させ、このほか、前述の二つの可動蓋の上壁面に係止溝と係止ブロックが設けられ、二つの可動蓋閉合時に相互に係合位置決めされ、前述の二つの可動蓋の上壁面にそれぞれ切欠きが設けられて二つのプッシュブロックの回転に供され、二つの可動蓋の側壁がさらに後壁面に接続され、これによりソケット本体の後側、基板の後側及びストランドシートの面積が被覆されることを特徴とする、ネットワーク通信用ソケット。
【請求項３】
　請求項１記載のネットワーク通信用ソケットにおいて、ソケット本体の板体の後側に係止溝が設けられて位置決めクリップの下方のフックの係止溝と係合し、且つ該位置決めクリップの上方に係止溝が設けられて基板２後側の中間部分を挟持し、これにより位置決め効果が増されたことを特徴とする、ネットワーク通信用ソケット。
【考案の詳細な説明】
【技術分野】
【０００１】
　本考案は一種のネットワーク通信用ソケットに係り、そのストランドシートが案内溝を具えて通信ケーブルの複数のストランドの挿入に供され、且つ手持工具による圧着が不要で、時間がかからず楽に操作でき、また二つの可動蓋が防塵、防護と通信ケーブル固定の機能を具え、その基板上方に設けられた各刺破端子の交互に位置がずれ傾斜する配列方式によりクロストーク干渉を減らして通信品質を高めることができるネットワーク通信用ソケットに関する。
【背景技術】
【０００２】
　周知のネットワーク通信用ソケットは、図１、２に示されるように、ソケット本体９１、基板９２、二つの刺破シート９３、通信ケーブル９４、二つの上蓋９５で構成され、そのうち、通信ケーブル９５の８本のストランド９４１はそれぞれ刺破シート９３の嵌め溝９３１に嵌め込まれ、並びに手持工具で８本のストランド９４１が各刺破シート９３の嵌め溝９３１に設けられた刺破端子（図示せず）上方に圧入されて接触導通するものとされる。このような周知のネットワーク通信用ソケットは以下のような欠点を有している。
　１．手持工具で各ストランド９４１を各嵌め溝９３１にアライメントさせて嵌め込む高さは掌握しにくく、また施力の当接部分に欠乏するため、操作が面倒で、且つ８回ストランド９４１を圧入する動作は相当に面倒で時間と手間がかかる。
　２．刺破シート９３の上方に上蓋９５があり、組立後の上蓋９５の両側に対外との接続用の孔９５１があり（図２）、ストランド９４１の前端位置決め後にはこの孔９５１に向けられるため、防塵効果が低くなる。
　３．同一施工部分の各刺破シート９３と通信ケーブル９４が位置決め板に取り付けられた後の各ストランド９４１の長さが不一致で、通信品質に影響が生じやすい。
【０００３】
　別に、特許文献１は実用に耐えるが、通信ケーブルの８本のストランドの導電線をそれぞれ嵌め溝に挿入する操作が簡便でなく、そのクロストーク干渉防止、防塵と防護の機能は更に強化が必要である。また四つの上蓋をそれぞれ回転させることは手間がかかり不便である。
【０００４】
【特許文献１】中国実用新案登録第ＺＬ９９２４３１５３．０号明細書
【考案の開示】
【考案が解決しようとする課題】
【０００５】
　本考案は従来の製品の欠点を鑑み、それを改善したネットワーク通信用ソケットを提供するものである。
【０００６】
　ゆえに、本考案の主要な目的は、一種のネットワーク通信用ソケットを提供することにあり、それは、通信ケーブルの複数のストランドをストランドシートに嵌め込む時に、その導線溝の前側開口より挿入し並びに前向き下方に傾斜する円弧を具えた導入板の案内によりそれぞれ後ろ導入空間と前導入空間にそれぞれ導入し並びに所定の長さ伸出させることができ、各ストランドを近隣の嵌め溝内に同時に嵌め込むことができ、操作が簡単で、手間と時間を節約できるものとする。
【０００７】
　本考案の次の目的は、一種のネットワーク通信用ソケットを提供することにあり、それは、一回の施工部位の各ストランドシートと通信ケーブル取り付け後のストランド露出の長さがほぼ同じで、これにより通信品質の安定を確保できるものとする。
【０００８】
　本考案の別の目的は、一種のネットワーク通信用ソケットを提供することにあり、それは、ソケット本体に枢設された二つの可動蓋にプッシュブロックが設けられ、ただ回転閉合する時にストランドシートを押圧でき、通信ケーブルの各ストランドを確実に刺破端子と接触導通させられ、その他の手持工具を使用する必要がなく、操作が簡単で、相対的に加工コスト、加工時間と手間を減らす効果を有するものとする。
【０００９】
　本考案のまた別の目的は、一種のネットワーク通信用ソケットを提供することにあり、それはソケット本体に枢設された二つの可動蓋がソケット本体に嵌め込まれた通信ケーブルに対する位置決め効果を増加してぐらつきを防止するだけでなく、二つの可動蓋がそれぞれ側壁、上壁面と後壁面を具えてソケット本体の後側板体、基板の後側とストランドシートを被覆し、防塵と防護の機能を有するものとする。
【００１０】
　本考案のさらに別の目的は、一種のネットワーク通信用ソケットを提供することにあり、それは、基板に設けられた各刺破端子の固定位置が交互に位置がずれ且つ傾斜角度を呈するよう配列され、並びに各対の端子相互の間の対応面積が増されてクロストーク干渉を減らして通信品質を高めることができるものとする。
【課題を解決するための手段】
【００１１】
　請求項１の考案は、ネットワーク通信用ソケットであり、
　ソケット本体、基板、ストランドシートを具え、
　該ソケット本体は前側に位置決め溝が設けられ、前側上方に係止ブロックが設けられ、下方に弾性フックを具え、後側に板体を具え、
　該基板は、ソケット本体の上方に設けられ、その前側に複数の通信端子が設けられ、並びに各通信端子がソケット本体の位置決め溝内に位置し、該基板の後側に複数の刺破端子がはんだ付けされ、
　該ストランドシートは、二つの位置決め壁を具え、各位置決め壁に複数の隔板が設けられ並びに複数の溝が間隔をあけて形成され、且つ各溝は開口がいずれも下向きとされ且つ開放状態を呈し、溝内に嵌め溝が形成され、該ストランドシートは基板の後側上方に設けられ、並びにちょうど各嵌め溝が前述の基板の後側にはんだ付けされた対応する刺破端子の上方に嵌め込まれている上記ネットワーク通信用ソケットにおいて、
　該ストランドシートの二つの位置決め壁の間に導線溝が設けられ、且つ導線溝内に導入板があり、該導入板は二つの位置決め壁の間に接続されて導入板が前導入空間と後ろ導入空間に区画され、且つ該導入板は後ろより前に下向きに傾斜する円弧を具え、ピーリングされて露出した８本のストランドを具えた通信ケーブルがストランドシートの導線溝の前側開口より挿入され並びにその導入板の案内によりそのうち４本のストランドが前導入空間に導入され並びに所定の長さ突出し、残りの４本のストランドが後ろ導入空間に導入されて並びに所定の長さ突出し、且つ通信ケーブルの未ピーリング部分の前端がストランドシートの導線溝前側開口が隣接する二つの位置決め壁の前端にストップされ、これにより順に各ストランドが近隣の隔板に当接し施力されて各対のストランドが分けられると共に近隣の嵌め溝内に嵌入し、最後に各嵌め溝より伸出したストランドが切断され、こうしてストランドとストランドシートの嵌挿作業が完成し、操作が簡単便利で並びに時間と手間を節約できることを特徴とする、ネットワーク通信用ソケットとしている。
　請求項２の考案は、請求項１記載のネットワーク通信用ソケットにおいて、ソケット本体の板体の前後両側にそれぞれ枢接溝が設けられ、二つの可動蓋の側壁の枢軸の枢接に供され、該二つの可動蓋はそれぞれが側壁と接続された上壁面を具え、各上壁面がプッシュブロック可動蓋が回転し閉合する時に該プッシュブロックがソケット本体に設けられた基板上方のストランドシートに加圧し、ストランドシートの各嵌め溝内のストランドを確実に基板に設けられた各刺破端子と接触導通させ、このほか、前述の二つの可動蓋の上壁面に係止溝と係止ブロックが設けられ、二つの可動蓋閉合時に相互に係合位置決めされ、前述の二つの可動蓋の上壁面にそれぞれ切欠きが設けられて二つのプッシュブロックの回転に供され、二つの可動蓋の側壁がさらに後壁面に接続され、これによりソケット本体の後側、基板の後側及びストランドシートの面積が被覆されることを特徴とする、ネットワーク通信用ソケットとしている。
　請求項３の考案は、請求項１記載のネットワーク通信用ソケットにおいて、ソケット本体の板体の後側に係止溝が設けられて位置決めクリップの下方のフックの係止溝と係合し、且つ該位置決めクリップの上方に係止溝が設けられて基板２後側の中間部分を挟持し、これにより位置決め効果が増されたことを特徴とする、ネットワーク通信用ソケットとしている。
【考案の効果】
【００１２】
　本考案は組立操作が簡単で手間がかからず、同一施工部分の各ストランドシートと通信ケーブルの取り付け後の各ストランドの長さがほぼ同じで、通信品質を確保できる。さらに、該ソケット本体に枢設された二つの可動蓋にプッシュブロックがあり、回して閉じ合わせる時にストランドシートを圧迫し、通信ケーブルの各ストランドを確実に刺破端子と接触させて導通させられ、他の手持工具を必要とせず、操作が簡便であり、組立コストと時間を減らすことができる。且つソケット本体に枢設された二つの可動蓋が通信ケーブルの位置決め効果と防塵防護と通信ケーブル固定の機能を強化し、その基板の各刺破端子が交互に位置がずれて且つ傾斜角度を呈するよう配列され、各対の端子相互の間の面積が増され、これによりクロストーク干渉が減り通信品質が高められる。
【考案を実施するための最良の形態】
【００１３】
　本考案のネットワーク通信用ソケットは、ソケット本体、基板、通信ケーブル、ストランドシートで構成され、ストランドシートが導線溝を具え、通信ケーブルの複数のストランドをストランドシートに挿入する時、導線溝の前側開口より挿入し並びに前向き下方に傾斜する円弧を具えた導入板の案内でそれぞれ後ろ導入空間と前導入空間に導入し並びに所定の長さ伸出させることで、各ストランドを近隣の嵌め溝に同時に嵌め込め、操作が簡単で手間がかからず、同一施工部分の各ストランドシートと通信ケーブルの取り付け後の各ストランドの長さがほぼ同じで、通信品質を確保できる。さらに、該ソケット本体に枢設された二つの可動蓋にプッシュブロックがあり、回して閉じ合わせる時にストランドシートを圧迫し、通信ケーブルの各ストランドを確実に刺破端子と接触させて導通させられ、他の手持工具を必要とせず、操作が簡便であり、組立コストと時間を減らすことができる。且つソケット本体に枢設された二つの可動蓋が通信ケーブルの位置決め効果と防塵防護と通信ケーブル固定の機能を強化し、その基板の各刺破端子が交互に位置がずれて且つ傾斜角度を呈するよう配列され、各対の端子相互の間の面積が増され、これによりクロストーク干渉が減り通信品質が高められる。
【実施例１】
【００１４】
　図３から図１４に示されるように、本考案のネットワーク通信用ソケットは、ソケット本体１、基板２、ストランドシート３を具えている。
【００１５】
　該ソケット本体１は前側に位置決め溝１１が設けられ、前側上方に係止ブロック１２を具え、このほか、下方に弾性フック１３を具え、後側に板体１４を具えている。
　該基板２は、ソケット本体１の上方に設けられ、その前側に複数の通信端子８０が設けられ、並びにちょうど各通信端子８０がソケット本体１の位置決め溝１１内に位置し、該基板の後側に複数の刺破端子７１、７２、７３、７４がはんだ付けされている。
【００１６】
　ストランドシート３は、二つの位置決め壁３２を具え、そのうち各一つの位置決め壁３２に複数の隔板３２３、３２４が設けられ並びに複数の溝３２２が間隔をあけて形成され、且つ各溝３２２が開口がいずれも下向きとされ且つ開放状態を呈し、溝３２２内に嵌め溝３２１が形成され、該ストランドシート３は基板２の後側上方に設けられ、並びにちょうど各嵌め溝３２１が前述の基板２の後側にはんだ付けされた対応する刺破端子７の上方に嵌め込まれている。
【００１７】
　本考案の特徴は以下のとおりである。
　該ストランドシート３の二つの位置決め壁３２の間に導線溝３１（図７、８参照）が設けられ、且つ導線溝３１内に導入板３１１があり、該導入板３１１は二つの位置決め壁３２の間に接続されて導入板３１１が前導入空間３１１１と後ろ導入空間３１１２に区画され、且つ該導入板３１１は後ろより前に下向きに傾斜する円弧を具えている。このような特徴により、すでにピーリングされて露出した８本の適当な長さのストランド４１、４１’を具えた通信ケーブル４（図８）がストランドシート３の導線溝３１の前側開口より挿入され並びにその導入板３１１の案内に従いそのうち４本のストランド４１’が前導入空間３１１１に導入され並びに所定の長さ突出し（図９）、また残りの４本のストランド４１が後ろ導入空間３１１２に導入されて並びに所定の長さ突出し（図９）、且つ通信ケーブル４の未ピーリング部分の前端４０がストランドシート３の導線溝３１前側開口が隣接する二つの位置決め壁３２の前端にストップされ、これにより順に各ストランド４１、４１’が近隣の隔板３２３の押圧施力を利用して各対のストランド４１、４１’に分けられると共に近隣の嵌め溝３２１内に嵌入し（図１０）、最後に各嵌め溝３２１より伸出したストランドが切断され（図１１、１２）、こうしてストランド４１、４１’とストランドシート３の嵌挿作業が完成する。このように操作が簡単便利で並びに時間と手間を節約できる機能を達成する。並びに各ストランド４１、４１’が導線溝３１に進入した後に、順調に導入板３１１の傾斜する円弧の案内を受けて外向きに導出され、これにより、各嵌め溝３２１に接近してストランド４１、４１’の嵌挿作業に便利とされる。このほか、同一施工部分のストランドシート３と通信ケーブル４の取り付けの後、その露出したストランド４１、４１’の長さはいずれも固定されてほぼ同じ長さとされ、このため通信品質の安定を確保できる。
【００１８】
　さらに、前述の基板２に設けられた各刺破端子７１、７２、７３、７４の固定位置は交互に位置がずれ、且つそれぞれ傾斜角度を呈するよう配列され、並びに各対をなす刺破端子７１、７２、７３、７４相互の間の対応面積が増され、これによりクロストーク干渉が減らされて通信品質が高められる。
【００１９】
　また、前述のソケット本体１の板体１４の前後両側にそれぞれ枢接溝１４１（図１３）が設けられ、二つの可動蓋５、６の側壁５１、６１の下方両側の枢軸５１１、６１１の枢接に供され（図４）、該二つの可動蓋５、６はそれぞれが側壁５１、６１と接続された上壁面５２、６２を具え、各上壁面５２、６２がプッシュブロック５２１、６２１を具え、二つの可動蓋５、６が回転し閉合する時に該プッシュブロック５２１、６２１がソケット本体１に設けられた基板２上方のストランドシート３に加圧し、ストランドシート３の各嵌め溝３２１内のストランド４１、４１’を確実に基板２に設けられた各刺破端子７と接触導通させる。このほか、前述の二つの可動蓋５、６の上壁面５２、６２にそれぞれ係止溝５２２、６２２と係止ブロック５２３、６２３が設けられ、二つの可動蓋５、６閉合時に相互に係合位置決めし、前述の二つの可動蓋５、６の上壁面５２、６２にそれぞれ切欠き５２４、６２４が設けられて二つのプッシュブロック５２１、６２１の回転に供され、二つの可動蓋５、６の側壁５１、６１がさらに後壁面５３、６３に接続され、これによりソケット本体１の後側、基板２の後側及びストランドシート３の面積が被覆される。
【００２０】
　このほか、前述のソケット本体１の板体１４後側に係止溝１４０が設けられて位置決めクリップ８の下方のフック８１１の係止溝８１２と係合し、且つ該位置決めクリップ８の上方に係止溝８１３が設けられて基板２後側の中間部分２０を挟持し、これにより位置決め効果が増される。
【００２１】
　また、前述のストランドシート３の後側に一体に位置決めブロック３０が形成され、該位置決めブロック３０が施力握持操作に便利とされ、且つ通信ケーブル４の位置決めに便利で、並びに結束クリップ（図示せず）で位置決めブロック３０と通信ケーブル４が緊密に結束され位置決めされる。
【００２２】
　総合すると、本考案は以下のような進歩した機能を具えている。
　１．通信ケーブル４の複数のストランド４１、４１’はストランドシート３の導線溝３１の前側開口より挿入され、並びに下向きに傾斜する円弧を具えた導入板３１１の案内によりそれぞれ後ろ導入空間３１１２と前導入空間３１１１に進入し、並びに所定の長さ伸出し、且つ通信ケーブル４の未ピーリング部分の前端４０がストランドシート３の導線溝３１前側開口に隣接する二つの位置決め壁３２の前端にストップされ、これにより順に各ストランド４１、４１’を近隣の隔板３２３に当接させて施力でき各対のストランド４１、４１’を分離させ並びに近隣の嵌め溝３２１内に嵌め込むことができ（図１０）、最後に各嵌め溝３２１より伸出したストランドを切断すれば（図１１、１２）、ストランド４１、４１’とストランドシート３の嵌挿作業が完成し、操作が簡単便利で並びに時間と手間を節約できる。
　２．同一施工部分のストランドシート３と通信ケーブル４の取り付けの後、その露出したストランド４１、４１’の長さはいずれも固定されてほぼ同じ長さとされ、このため通信品質の安定を確保できる。
　３．ソケット本体１に枢設された二つの可動蓋５、６がプッシュブロック５２１、６２１を具え、ただ回転させ閉合させればストランドシート３を加圧でき、通信ケーブル４の各ストランド４１、４１’を確実に刺破端子７と接触導通させられ、他の手持工具を使用する必要がなく、操作が簡便で、組立コストと時間及び手間を節約することができる。
　４．ソケット本体１に枢設された二つの可動蓋５、６がソケット本体１に嵌め込まれた通信ケーブル４に対する位置決め効果を増加してぐらつきを防止するだけでなく、二つの可動蓋５、６がそれぞれ側壁５１、６１、上壁面５２、６２と後壁面５３、６３を具えてソケット本体１の後側の板体１４、基板２の後側とストランドシート３を被覆し、防塵と防護の機能を有する。
　５．ストランドシート３の後側に一体に位置決めブロック３０が形成され、該位置決めブロック３０が施力握持操作に便利とされ、且つ通信ケーブル４の位置決めに便利で、並びに結束クリップ（図示せず）で位置決めブロック３０と通信ケーブル４が緊密に結束され位置決めされる。
　６．基板２に設けられた各刺破端子７１、７２、７３、７４の固定位置は交互に位置がずれ、且つそれぞれ傾斜角度を呈するよう配列され、並びに各対をなす刺破端子７１、７２、７３、７４相互の間の対応面積が増され、これによりクロストーク干渉が減らされて通信品質が高められる。
【図面の簡単な説明】
【００２３】
【図１】周知の製品の分解斜視図である。
【図２】周知の製品の斜視図である。
【図３】本考案の分解斜視図である。
【図４】本考案の実施例中、二つの可動蓋とソケット本体が枢接され且つストランドシートが通信ケーブルに接続された後の立体分解図である。
【図５】本考案の実施例の斜視図である。
【図６】本考案の実施例の別角度の斜視図である。
【図７】本考案の実施例の組合せ断面図である。
【図８】本考案の実施例中のストランドシートと通信ケーブルの別角度の分解斜視図である。
【図９】本考案の実施例中の通信ケーブルの各ストランドが前後の導入空間より所定の長さ引き出された状態の立体表示図である。
【図１０】本考案の実施例中の通信ケーブルの各ストランドが前後の導入空間より所定の長さ引き出され、且つ順に挿入位置決めされて未だ余分の長さを切断されていない状態の立体表示図である。
【図１１】本考案の実施例中の通信ケーブルの各ストランドとストランドシートが挿入位置決めされストランドの余分の長さが切断された後の立体表示図である。
【図１２】本考案の実施例中の通信ケーブルの各ストランドとストランドシートが挿入位置決めされストランドの余分の長さが切断された後の平面組合せ拡大図である。
【図１３】本考案の実施例中の本体シートの底面立体図である。
【図１４】本考案の実施例中の本体シートの後面図である。
【符号の説明】
【００２４】
１　ソケット本体
１１　位置決め溝
１２　係止ブロック
１３　弾性フック
１４　板体
１４０　係止溝
１４１　枢接溝
２　基板
２０　中間部分
３　ストランドシート
３０　位置決めブロック
３１　導線溝
３１１　導入板
３１１１　前導入空間
３１１２　後ろ導入空間
３２　位置決め壁
３２２　溝
３２３、３２４　隔板
３２１　嵌め溝
４　通信ケーブル
４０　前端
４１、４１’　ストランド
５、６　可動蓋
５１、６１　側壁
５１１、６１１　枢軸
５２、６２　上壁面
５２１、６２１　プッシュブロック
５２２、６２２　係止溝
５２３、６２３　係止ブロック
５２４、６２４　切欠き
５３、６３　後壁面
７、７１、７２、７３、７４　刺破端子
８　位置決めクリップ
８０　通信端子
８１１　フック
８１２　係止溝
８１３　係止溝
【図１】
0003100029.tif 000003
【図２】
0003100029.tif 000004
【図３】
0003100029.tif 000005
【図４】
0003100029.tif 000006
【図５】
0003100029.tif 000007
【図６】
0003100029.tif 000008
【図７】
0003100029.tif 000009
【図８】
0003100029.tif 000010
【図９】
0003100029.tif 000011
【図１０】
0003100029.tif 000012
【図１１】
0003100029.tif 000013
【図１２】
0003100029.tif 000014
【図１３】
0003100029.tif 000015
【図１４】
0003100029.tif 000016